(57)【要約】【課題】バッテリ本体とヒュージブルリンクとが位置ずれしていても、バッテリ本体とヒュージブルリンクとを容易に接続することができるヒュージブルリンクの取付構造を提供する。【解決手段】ヒュージブルリンク５の取付構造１はバッテリ本体２のバッテリポスト３に電源用端子４を介してヒュージブルリンク５を取り付ける。ヒュージブルリンク５は接続孔３６と溝４７とを備えている。電源用端子４はスタッドボルト２５を備えている。バッテリ本体２に取り付けられたバッテリ固定部材７は支持片１３を備えている。第一の変位手段１５はスタッドボルト２５と接続孔３６とから構成される。第二の変位手段１４は支持片１３と溝４７とから構成される。【選択図】図１
2008171624.tif 000002
【特許請求の範囲】
【請求項１】
バッテリ本体を固定するバッテリ固定部材に取り付けられる取付部を備えるとともに、前記バッテリ本体のバッテリポストに電源用端子を介して接続されるヒュージブルリンクの取付構造において、
前記ヒュージブルリンクに対する前記電源用端子の向きを、前記バッテリ本体の上面の前記バッテリ固定部材の横断方向に変更可能とする第一の変位手段と、
前記バッテリ本体に対する前記ヒュージブルリンクの位置を、前記第一の変位手段の変位方向と交差する方向に変更可能とする第二の変位手段と、を備えたことを特徴とするヒュージブルリンクの取付構造。
【請求項２】
前記第一の変位手段において、前記ヒュージブルリンクと前記電源用端子とのうち少なくとも一方が、前記ヒュージブルリンクと前記電源用端子とを仮係止する仮係止手段を備えたことを特徴とする請求項１記載のヒュージブルリンクの取付構造。
【請求項３】
前記第一の変位手段において、前記ヒュージブルリンクが、導体部と、前記導体部を覆うケースと、を備えるとともに、
前記ケースが、変位する前記電源用端子と接触しないように開口した開口部を備えたことを特徴とする請求項１または請求項２記載のヒュージブルリンクの取付構造。
【発明の詳細な説明】
【技術分野】
【０００１】
本発明は、バッテリ本体のバッテリポストに電源用端子を介して接続されるヒュージブルリンクの取付構造に関する。
【背景技術】
【０００２】
自動車には、電源供給源としてのバッテリが搭載されている。バッテリ本体と車内に配索される電線とは、例えば電源用端子を介してバッテリ本体に接続されるヒュージブルリンクによって電気的に接続されて、バッテリ本体の電力が車内に搭載された電子機器等に供給される。
【０００３】
バッテリ本体に接続されるヒュージブルリンクとしては、次のようなものが知られている（例えば、特許文献１参照）。この種のヒュージブルリンクは、電源用端子を介してバッテリ本体のバッテリポストと接続される。また、ヒュージブルリンクは、前述した電線の端末に取り付けられた端子金具と接続される。そしてヒュージブルリンクは、バッテリ本体の上面に載置される。
【０００４】
しかし、バッテリ本体から分配される電線数が増加してヒュージブルリンクに多数の電線が接続されている場合、ヒュージブルリンクをバッテリ本体の上面に載置するのはレイアウト的に制限があり、バッテリ本体の側面に下垂させることが考えられる。
【０００５】
この場合、ヒュージブルリンクの重量が大きいと、車体に搭載された際にバッテリ周辺に発生する振動によってバッテリポストやヒュージブルリンクに応力が集中し、バッテリポストやヒュージブルリンクが破損してしまう虞がある。そこで、バッテリ本体を車体に固定するバッテリ固定部材から延設された支持部でヒュージブルリンクの下端を支持して、ヒュージブルリンクの振動を抑えることが考えられる。
【特許文献１】特開２０００−３３１５９１号公報
【発明の開示】
【発明が解決しようとする課題】
【０００６】
バッテリ本体がバッテリ固定部材によって固定されると、バッテリ本体の固定位置にばらつきが生じる。即ち、バッテリ固定部材に対するバッテリ本体のバッテリポストの相対的位置にばらつきが生じる。この場合、前述したようにヒュージブルリンクの下端をバッテリ固定部材で支持すると、ヒュージブルリンクに取り付けられた電源用端子は、バッテリポストの相対的位置のばらつきに追従することができなくなってしまう。即ち、ヒュージブルリンクとバッテリ本体とを接続することができなくなってしまう虞があった。
【０００７】
したがって、本発明の目的は、バッテリ本体とバッテリポストと反対側の端部が支持されるヒュージブルリンクとが位置ずれしていても、バッテリ本体とヒュージブルリンクとを容易に接続することができるヒュージブルリンクの取付構造を提供することにある。
【課題を解決するための手段】
【０００８】
前記課題を解決し目的を達成するために、請求項１に記載の本発明のヒュージブルリンクの取付構造は、バッテリ本体を固定するバッテリ固定部材に取り付けられる取付部を備えるとともに、前記バッテリ本体のバッテリポストに電源用端子を介して接続されるヒュージブルリンクの取付構造において、前記ヒュージブルリンクに対する前記電源用端子の向きを、前記バッテリ本体の上面の前記バッテリ固定部材の横断方向に変更可能とする第一の変位手段と、前記バッテリ本体に対する前記ヒュージブルリンクの位置を、前記第一の変位手段の変位方向と交差する方向に変更可能とする第二の変位手段と、を備えたことを特徴としている。
【０００９】
請求項２に記載の本発明のヒュージブルリンクの取付構造は、請求項１に記載のヒュージブルリンクの取付構造において、前記第一の変位手段の前記ヒュージブルリンクと前記電源用端子とのうち少なくとも一方が、前記ヒュージブルリンクと前記電源用端子とを仮係止する仮係止手段を備えたことを特徴としている。
【００１０】
請求項３に記載の本発明のヒュージブルリンクの取付構造は、請求項１または請求項２に記載のヒュージブルリンクの取付構造において、前記第一の変位手段の前記ヒュージブルリンクが、導体部と、前記導体部を覆うケースと、を備えるとともに、前記ケースが、変位する前記電源用端子と接触しないように開口した開口部を備えたことを特徴としている。
【００１１】
請求項１に記載した本発明のヒュージブルリンクの取付構造によれば、ヒュージブルリンクに対する電源用端子の向きをバッテリ本体の上面のバッテリ固定部材の横断方向に変更可能とする第一の変位手段と、バッテリ本体に対するヒュージブルリンクの位置を第一の変位手段の変位方向と交差する方向に変更可能とする第二の変位手段と、を備えている。このため、第一の変位手段と第二の変位手段とによってバッテリポストとの相対的位置ずれを吸収することができる。
【００１２】
請求項２に記載した本発明のヒュージブルリンクの取付構造によれば、第一の変位手段において、ヒュージブルリンクと電源用端子とのうち少なくとも一方が、ヒュージブルリンクと電源用端子とを仮係止する仮係止手段を備えている。このため、工具等を使ってナットを仮付けする必要がなくなり、ヒュージブルリンクを電源用端子に取り付ける作業でヒュージブルリンクと電源用端子とは仮係止される。
【００１３】
請求項３に記載した本発明のヒュージブルリンクの取付構造によれば、第一の変位手段において、ヒュージブルリンクの導体部を覆うケースが、変位する電源用端子と接触しないように開口した開口部を備えている。このため、電源用端子が変位してもケースに接触することがない。
【発明の効果】
【００１４】
以上説明したように、請求項１に記載の本発明は、ヒュージブルリンクに対する電源用端子の向きをバッテリ本体の上面のバッテリ固定部材の横断方向に変更可能とする第一の変位手段と、バッテリ本体に対するヒュージブルリンクの位置を第一の変位手段の変位方向と交差する方向に変更可能とする第二の変位手段と、を備えている。このため、第一の変位手段と第二の変位手段とによってバッテリポストとの相対的位置ずれを吸収することができる。したがって、バッテリ本体とヒュージブルリンクとが位置ずれしていても、バッテリ本体とヒュージブルリンクとを容易に接続することができる。また、バッテリ本体がバッテリ固定部材により位置決めされた後で各接続部を固定するため、位置ずれによる応力がかかるのを抑止することができる。
【００１５】
請求項２に記載の本発明は、第一の変位手段において、ヒュージブルリンクと電源用端子とのうち少なくとも一方が、ヒュージブルリンクと電源用端子とを仮係止する仮係止手段を備えている。このため、工具等を使ってナットを仮付けする必要がなくなり、ヒュージブルリンクを電源用端子に取り付ける作業でヒュージブルリンクと電源用端子とは仮係止される。したがって、仮付け作業をなくすことができる。またナットの有無によって組立工程でヒュージブルリンクと電源用端子との累着作業が完了したかどうかを目視で確認することができるので、ナット２９の仮付けを完着と誤認し、締め忘れることがない。
【００１６】
請求項３に記載の本発明は、第一の変位手段において、ヒュージブルリンクの導体部を覆うケースが、変位する電源用端子と接触しないように開口した開口部を備えている。このため、電源用端子が変位してもケースに接触することがない。したがって、電源用端子の変位によってケースに応力がかかるのを抑止することができ、ケースの破損等を防止することができる。
【発明を実施するための最良の形態】
【００１７】
以下、本発明の第一の実施形態にかかるヒュージブルリンクの取付構造を図１ないし図６を参照して説明する。本発明の第一の実施形態にかかるヒュージブルリンクの取付構造１は、図１に示すように、バッテリ本体２のバッテリポスト３ａに電源用端子４を介してヒュージブルリンク５を取り付けるための構造である。
【００１８】
バッテリ本体２は、図１に示すように、収容ケース６と、一対のバッテリポスト３ａ、３ｂ等を備えている。収容ケース６は、絶縁性の合成樹脂等で形成されている。収容ケース６は、上蓋部６ａと、ケース本体６ｂと、を備えている。上蓋部６ａは、上壁と、上壁の周縁に連なる側壁と、を備え、有底筒状に形成されている。ケース本体６ｂは、底壁と、底壁に連なる側壁と、を備え、有底筒状に形成されている。ケース本体６ｂの開口部に上蓋部６ａが取り付けられて、収容ケース６は組み立てられる。収容ケース６の内部には、互いに電気的に接続された複数のセル板等を収容する。
【００１９】
バッテリポスト３ａ、３ｂは、略円柱状に形成されている。バッテリポスト３ａ、３ｂは、上蓋部６ａの上壁を貫通して、バッテリ本体２の上面２ａ（図１中上側）から突出して設けられている。バッテリポスト３ａ、３ｂは、一端が収容ケース６外に位置し、他端が収容ケース６内に位置している。バッテリポスト３ａ、３ｂの他端は、それぞれ、収容ケース３内部に収容された複数のセル板の両端に位置する一つのセル板と電気的に接続されている。一方のバッテリポスト３ａ（以下、単にバッテリポスト３とよぶ）には、電源用端子４が接続される。
【００２０】
前述した構成のバッテリ本体２は、図２に示すように、バッテリトレー８１内に設置され、バッテリ固定部材７によって車体のサイドメンバー８２に固定される。そして、バッテリ本体２の上面２ａとサイドメンバー８２に相対する一つの側面２ｂ（以下、単に側面２ｂとよぶ）とに亘ってヒュージブルリンク５が取り付けられる。
【００２１】
バッテリ固定部材７は、板金等を折り曲げて形成され、全体として折棒状に形成されている。バッテリ固定部材７は、図１等に示すように、本体部８と、本体部８の幅方向の両端から立設されて本体部８の長手方向の全体に亘って設けられた枠部１６と、を備え、断面形状がコ字状に形成されている。本体部８は、上面接触部９と、側面接触部１０と、車体固定部１１と、を一体に備えている。
【００２２】
上面接触部９は、帯板状に形成されている。上面接触部９は、バッテリ本体２の上面２ａの長手方向中央に、上面２ａの幅方向全体に亘って上面２ａを横断するように配置される。上面接触部９の長手方向（即ち、バッテリ固定部材７の横断方向）は、バッテリ本体２の側面２ｂと直交する方向に配置される。バッテリ固定部材７がバッテリ本体２に取り付けられると、上面接触部９は、バッテリ本体２の上面２ａと接触する。上面接触部９には、図１に示すように、一対の保持片９ａが設けられている。
【００２３】
保持片９ａは、断面形状がＬ字状に形成されている。保持片９ａは、上面接触部９の長手方向の両端部に設けられている。保持片９ａは、一端が上面接触部９と接触し、一端と直交する他端が上面接触部９から下垂して設けられている。バッテリ固定部材７がバッテリ本体２に取り付けられた際に、保持片９ａの一端は、バッテリ本体２の上面２ａと接触するように設けられている。また、保持片９ａの他端は、それぞれ、側面２ｂと、側面２ｂと反対側の側面２ｃ（図２）と接触し、互いの間にバッテリ本体２を位置付けるように設けられている。保持片９ａの相対する他端同士の間隔は、バッテリ本体２の幅方向の長さより若干広くなるように設けられている。
【００２４】
側面接触部１０は、帯板状に形成されている。側面接触部１０は、上面接触部９の端部から上面接触部９と直交する方向に延設されている。バッテリ固定部材７がバッテリ本体２に取り付けられると、側面接触部１０はバッテリ本体２の側面２ｂと相対する。
【００２５】
車体固定部１１は、側面接触部１０の上面接触部９から離れた端部から側面接触部１０と直交する方向に延設されている。車体固定部１１の先端にはねじ孔１１ａが形成されている。ねじ孔１１ａには図示しないボルトがねじ込まれて、バッテリ固定部材７を車体のサイドメンバー８２にねじ留めする。そして、バッテリ本体２は、車体に対して固定される。
【００２６】
バッテリ固定部材７は、さらに支持部１２を備えている。支持部１２は、図１に示すように、側面接触部１０と車体固定部１１との連結部近傍に設けられている。支持部１２は、接触片１７と、支持片１３と、を一体に備えている。接触片１７は、断面形状がＬ字状に形成されている。接触片１７は、バッテリ固定部材７の側面接触部１０及び枠部１６と接触する。
【００２７】
支持片１３は、帯板状に形成されている。支持片１３は、接触片１７の端部から立設されている。支持片１３は、上面接触部９と直交し且つ側面接触部１０と平行になるように設けられている。支持片１３の厚さは、ヒュージブルリンク５の後述する溝４７の幅と略等しくなるように形成されている。バッテリ固定部材７がバッテリ本体２に取り付けられると、支持片１３の上端部（図１中上側）は、上面２ａと平行になるように配置される。また、支持片１３は、バッテリ本体２の側面２ｂと平行且つ側面２ｂと間隔をあけて配置される。支持片１３は、溝４７に挿入される。
【００２８】
電源用端子４は、図３及び図４等に示すように、端子本体２１と、ボルト２３と、ナット２２と、電源用孔２４と、スタッドボルト孔３０（図４）と、スタッドボルト２５と、を備えている。端子本体２１は、導電性の板金等から形成される。端子本体２１は、図４に示すように、一対の平板部２６ａ、２６ｂと、平板部２６ａ、２６ｂの長手方向の一端部同士を連結する連結部２７と、係合爪２８と、を備えている。
【００２９】
平板部２６ａ、２６ｂは、平板状に形成されている。平板部２６ａ、２６ｂは、互いに平行且つ互いに間隔をあけて相対している。電源用端子４がバッテリ本体２に取り付けられると、平板部２６ａ、２６ｂはバッテリ本体の上面２ａと平行に配置される。平板部２６ａ、２６ｂの一方の平板部２６ａは、上面２ａから離れた側に配置される。他方の平板部２６ｂは、上面２ａ寄りに配置される。
【００３０】
連結部２７は、断面形状がＵ字状に形成されている。連結部２７の内面には、ボルト２３がねじ込まれるねじ孔が設けられている。連結部２７の長手方向の中央には、図３に示すように、連結部２７を分断する隙間２７ａが形成されている。
【００３１】
係合爪２８は、平板部２６ａ、２６ｂの幅方向の両端部に複数設けられている。係合爪２８は、互いに相対する該端部から互いに近づく方向に凸に設けられている。係合爪２８が係合することによって、平板部２６ａ、２６ｂは互いに平行且つ互いに間隔をあけて保持される。
【００３２】
ボルト２３は、略円柱状の軸部と、該軸部の一端に形成された平面形状が矩形状の頭部と、を一体に備えている。軸部には、ねじ溝が形成されている。ボルト２３は、軸部が連結部２７の内面に設けられたねじ孔にねじ込まれて頭部と軸部の先端とが連結部２７から突出するように、連結部２７に取り付けられている。
【００３３】
ナット２２には、連結部２７から突出したボルト２３の軸部がねじ込まれる。ナット２２にボルト２３の軸部がねじ込まれることによって、ボルト２３の頭部とナット２２との間隔が狭くなって連結部２７の隙間２７ａが狭くなり、電源用孔２４の内径が調節される。
【００３４】
電源用孔２４は、平板部２６ａ、２６ｂの連結部２７寄りの端部を貫通して設けられている。電源用孔２４は、平面形状が円状に形成されている。電源用孔２４は、接触部２４ａを備えている。接触部２４ａは、電源用孔２４の周縁から、平板部２６ａから離れる方向（図４中下側）に凸に設けられている。接触部２４ａは、電源用孔２４に挿入されたバッテリポスト３の外面と当接して、バッテリポスト３を保持する。
【００３５】
スタッドボルト孔３０は、平板部２６ａの連結部２７から離れた側を貫通して設けられている。スタッドボルト孔３０は、平面形状が円状に形成されている。スタッドボルト孔３０の内径は、スタッドボルト２５の軸部の外径と略等しくなるように形成されている。スタッドボルト孔３０と電源用孔２４とは、平板部２６ａの長手方向に並んで設けられている。スタッドボルト孔３０は、電源用孔２４より連結部２７から離れた側に設けられている。
【００３６】
スタッドボルト２５は、略円柱状の軸部と、該軸部の一端に連なるボルト頭とを一体に備えている。軸部は、平板部２６ａのスタッドボルト孔３０に挿入される。ボルト頭は、平板部２６ａ、２６ｂの間に位置付けられる。軸部がスタッドボルト孔３０に挿入され、ボルト頭が平板部２６ａ、２６ｂに挟持されて、スタッドボルト２５は端子本体２１に固定される。スタッドボルト２５の軸芯がスタッドボルト孔３０の中心と一致するように、スタッドボルト２５は端子本体２１に固定される。
【００３７】
前述したスタッドボルト２５は、電源用端子４がバッテリ本体２に取り付けられると、軸部がバッテリ本体２の上面２ａから突出する方向に位置付けられる。スタッドボルト２５をヒュージブルリンク５の後述する接続孔３６に挿入して、電源用端子４はヒュージブルリンク５に取り付けられる。その後、スタッドボルト２５にナット２９を螺合して、電源用端子４とヒュージブルリンク５とを固定する。スタッドボルト２５は、接続孔３６とともに、特許請求の範囲に記載の接続部１８を構成する。
【００３８】
ヒュージブルリンク５は、図１に示すように、全体として略Ｌ字状に形成され、バッテリ本体２の上面２ａと側面２ｂとに亘って取り付けられる。ヒュージブルリンク５は、図６に示すように、導体部３１と、導体部３１を絶縁被覆したケース３２と、取付部３３と、仮係止手段としての係止突起３４と、を備えている。
【００３９】
導体部３１は、導電性の板金等から形成されている。導体部３１は、電源端子板３５と、複数の接続端子板（図示せず）と、電源端子板３５とそれぞれの接続端子板とを接続する複数の可溶体（図示せず）と、を備えている。
【００４０】
電源端子板３５は、平板状に形成され、平面形状が略矩形状に形成されている。ヒュージブルリンク５がバッテリ本体２に取り付けられると、電源端子板３５は、図４に示すように、バッテリ本体２の上面２ａと平行に配置される。電源端子板３５は、接続孔３６を備えている。
【００４１】
接続孔３６は、平面形状が円状に形成されている。接続孔３６は、電源端子板３５を貫通して設けられている。接続孔３６の内径は、スタッドボルト２５の軸部の外径と略等しくなるように形成されている。接続孔３６は、電源端子板３５の幅方向の一端寄りに設けられている。接続孔３６は、ヒュージブルリンク５がバッテリ本体２に取り付けられると、接続孔３６の中心とバッテリポスト３の軸芯とを結ぶ線がバッテリ本体２の側面２ｂと平行になる位置に形成されている。接続孔３６には、電源用端子４のスタッドボルト２５が挿入される。接続孔３６は、スタッドボルト２５とともに、特許請求の範囲に記載の接続部１８を構成する。
【００４２】
接続端子板は、それぞれ、平板状に形成されている。ヒュージブルリンク５がバッテリ本体２に取り付けられると、接続端子板は、バッテリ本体２の側面２ｂと平行に配置される。接続端子板は、それぞれ、ボルト孔を備えている。
【００４３】
ボルト孔は、接続端子板を貫通して設けられている。ボルト孔には、それぞれ、接続ボルト３７がねじ込まれる。接続ボルト３７は、接続端子板の電源端子板３５寄りの外面からボルト孔にねじ込まれる。ヒュージブルリンク５がバッテリ本体２に取り付けられると、接続ボルト３７はバッテリ本体２の側面２ｂから突出する方向に配置される。接続ボルト３７には、図１に示すように、電線８３の端末に取り付けられた端子金具８４の取付孔が取り付けられ、図示しないナットが螺合されて固定される。
【００４４】
可溶体は、一つの接続端子板に対して一つ設けられている。可溶体は、電源端子板３５と一つの接続端子板とを電気的に接続する。可溶体は、一対の連結片と、一対の連結片の間に配置された溶断片と、を一体に備えている。一対の連結片は、一方の連結片が電源端子板３５と接続され、他方の連結片が一つの接続端子板と接続される。溶断片は、比較的融点の低い金属等から形成されている。溶断片は、ヒュージブルリンク５に過電流が流れた際に、自己発熱によって溶断する。溶断片が溶断することによって、電源端子板３５と接続端子板との電気的な接続が絶たれる。そして、バッテリ本体２からの電力がヒュージブルリンク５に取り付けられた電線８３へ供給されないようにする。
【００４５】
ケース３２は、ナイロン樹脂等の比較的耐熱性の高い合成樹脂等から形成されている。ケース３２は、図６に示すように、電源端子板３５を被覆する水平部４１と、接続端子板及び可溶体を被覆する下垂部４２と、を備えている。水平部４１は、図６に示すように、第一の開口部４３と、第二の開口部４４と、放熱板４５と、を備えている。なお、第二の開口部４４は、特許請求の範囲に記載の開口部に相当する。
【００４６】
第一の開口部４３は、水平部４１の電源端子板３５の上面３５ａを被覆する側に設けられている。第一の開口部４３は、水平部４１の幅方向の端部を略Ｕ字状に切り欠いて形成されている。第一の開口部４３は、電源端子板３５の接続孔３６及び接続孔３６近傍を露出させる。第一の開口部４３によって、接続孔３６に挿入された電源用端子４のスタッドボルト２５にナット２９を螺合させる際に、水平部４１はエアドライバー等の工具と接触しない。
【００４７】
第二の開口部４４は、図５に示すように、水平部４１の電源端子板３５の下面３５ｂを被覆する側に設けられている。第二の開口部４４は、水平部４１の幅方向の一端部を略Ｕ字状に切り欠いて形成されている。第二の開口部４４は、電源端子板３５の接続孔３６及び接続孔３６近傍を露出させる。第二の開口部４４と第一の開口部４３とは、電源端子板３５を間に挟んで互いに相対する位置に形成されている。図５において、電源用端子４の回動範囲が二点鎖線で示されている。第二の開口部４４は、ヒュージブルリンク５に取り付けられた電源用端子４が回動しても、電源用端子４と接触しない大きさに形成されている。
【００４８】
第二の開口部４４の大きさは、電源用端子４の最大回動範囲より若干大きく形成することによって、必要最低限の大きさに形成されている。バッテリ本体２の幅方向の位置ずれの範囲は、バッテリ本体２の幅方向の位置を仮固定するバッテリ固定部材７の保持片９ａの他端の間隔によって制御（予測）することができる。それによって電源用端子４の回動範囲も制御（予測）することができる。
【００４９】
放熱板４５は、水平部４１の上面及び下面から突出して複数設けられている。放熱板４５は、それぞれ、水平部４１の長手方向に沿って延在している。放熱板４５は、それぞれ、互いに間隔をあけて設けられている。水平部４１の下面に設けられた放熱板４５の方が、水平部４１の上面に設けられた放熱板４５より突出量が大きく設けられている。放熱板４５は、水平部４１の表面積を大きくすることによって、水平部４１に被覆された電源端子板３５からの熱を効果的に放熱する。
【００５０】
下垂部４２は、図６に示すように、複数の電線取付部４６等を備えている。電線取付部４６は、図示例では三つ設けられている。電線取付部４６は、それぞれ、一つの接続端子板のボルト孔及びボルト孔近傍を露出させる第三の開口部と、第三の開口部の周縁から立設する複数の立設片４６ａと、を備えている。電線取付部４６の内部には、ボルト孔に螺合された接続ボルト３７が突出する。電線取付部４６には、接続ボルト３７に接続された電線８３が取り付けられる。
【００５１】
取付部３３は、図６に示すように、下垂部４２の水平部４１から離れた端部に設けられている。取付部３３は、バッテリ固定部材７に取り付けられる。取付部３３は、バッテリ固定部材７を介してヒュージブルリンク５をバッテリ本体２に取り付ける。取付部３３は、溝４７を備えている。
【００５２】
溝４７は、取付部３３の下面から凹に設けられている。溝４７は、取付部３３の幅方向の中央に、取付部３３の長手方向全体に亘って直線状に設けられている。溝４７の幅は、バッテリ固定部材７の支持片１３の厚さと略等しくなるように形成されている。ヒュージブルリンク５がバッテリ本体２に取り付けられると、溝４７の長手方向はバッテリ本体２の側面２ｂと平行になるように配置される。また、溝４７の取付部３３の下面から離れた内面（図１中上側）は、バッテリ本体の上面２ａと平行になるように配置される。
【００５３】
係止突起３４は、図５等に示すように、第二の開口部４４の互いに相対する両端部から、互いに近づく方向に延びて一対設けられている。係止突起３４は、電源端子板３５と平行になるように設けられている。係止突起３４は、ヒュージブルリンク５の接続孔３６に電源用端子４のスタッドボルト２５が挿入されて、電源端子板３５の下面３５ｂが電源用端子４の平板部２６ａに重ねられると、弾性変形して、平板部２６ｂの下面と接触する。係止突起３４は、図４に示すように、電源端子板３５との間に平板部２６ａ、２６ｂを位置付けて保持することによって、電源用端子４とヒュージブルリンク５とを回動可能に仮係止する。この時、電源用端子４の長手方向は、ヒュージブルリンク５の水平部４１の長手方向と略直交するように配置される。
【００５４】
前述した構成のヒュージブルリンクの取付構造１では、第一の変位手段１５は、前述したヒュージブルリンク５の接続孔３６及び電源用端子４のスタッドボルト２５から構成される。接続孔３６の内径とスタッドボルト２５の外径は略等しくなるように形成されている。このため、接続孔３６にスタッドボルト２５が挿入されると、接続孔３６の中心とスタッドボルト２５の軸芯とが重なる。よって、電源用端子４は、接続孔３６の中心及びスタッドボルト２５の軸芯を中心にして回動可能にヒュージブルリンク５に取り付けられる（図２中、点線で示す）。即ち、電源用端子４が回動することによって、ヒュージブルリンク５に対する電源用端子４の向きが変更される。
【００５５】
さらに、ヒュージブルリンク５がバッテリ本体２に取り付けられると、ヒュージブルリンク５の水平部４１の長手方向はバッテリ本体２の上面２ａのバッテリ固定部材７の横断方向に平行になるように配置される。そして、前述のように、電源用端子４の長手方向は水平部４１の長手方向即ちバッテリ固定部材７の横断方向に略直交するように配置される。よって、電源用端子４が回動することによって、バッテリ固定部材７の横断方向におけるヒュージブルリンク５に対する電源用端子４の向きが変更される。
【００５６】
また、第二の変位手段１４は、ヒュージブルリンク５の溝４７及びバッテリ固定部材７の支持片１３から構成される。ヒュージブルリンク５がバッテリ本体２に取り付けられると、支持片１３が溝４７に挿入される。前述のように、支持片１３はバッテリ本体２の側面２ｂと平行に設けられ、溝４７の長手方向は側面２ｂと平行になるように形成されている。また、支持片１３の厚さと溝４７の幅とは略等しくなるように設けられている。よって、ヒュージブルリンク５は、支持片１３上をスライドして側面２ｂと平行な方向に移動可能となる（図２中、点線で示す）。
【００５７】
さらに、前述のように、バッテリ本体２の側面２ｂは、バッテリ本体２の上面２ａのバッテリ固定部材７の横断方向と直交する。よって、ヒュージブルリンク５は、支持片１３上をスライドして、バッテリ本体２の上面２ａのバッテリ固定部材７の横断方向と直交する方向に移動可能となる。
【００５８】
前述した構成のヒュージブルリンクの取付構造１を用いて、バッテリ本体２のバッテリポスト３に電源用端子４を介してヒュージブルリンク５を取り付ける際には、予めヒュージブルリンク５の接続孔３６に電源用端子４のスタッドボルト２５を挿入して、ヒュージブルリンク５に電源用端子４を取り付けておく。係止突起３４によって、ヒュージブルリンク５と電源用端子４とは回動可能に仮係止される。
【００５９】
バッテリ本体２をバッテリトレー８１に設置する。前述のように、バッテリ固定部材７をバッテリ本体２に取り付け、バッテリ固定部材７を車体フレームのサイドメンバー８２に固定する。
【００６０】
そして、ヒュージブルリンク５の取付部３３の溝４７にバッテリ固定部材７の支持片１３を挿入すると同時に、電源用端子４の電源用孔２４にバッテリ本体２のバッテリポスト３を挿入する。この時、図２に示すように、バッテリ本体２の位置ずれに応じて、前述のようにバッテリ本体２に対してヒュージブルリンク５をスライドさせるとともにヒュージブルリンク５に対して電源用端子４を回動させて、電源用孔２４にバッテリポスト３を挿入する。
【００６１】
電源用端子４のスタッドボルト２５にナット２９をねじ込んで、電源用端子４とヒュージブルリンク５とを固定する。そして、電源用端子４の調節ねじ２２を調節して、電源用端子４とバッテリポスト３とを固定する。
【００６２】
本実施形態によれば、ヒュージブルリンク５に対する電源用端子４の向きをバッテリ本体２の上面２ａのバッテリ固定部材７の横断方向に変更可能とする第一の変位手段１５と、バッテリ本体２に対するヒュージブルリンク５の位置を第一の変位手段１５の変位方向と交差する方向に変更可能とする第二の変位手段１４と、を備えている。このため、第一の変位手段１５と第二の変位手段１４とによってバッテリポスト３の相対的位置ずれを吸収することができる。したがって、バッテリ本体２とヒュージブルリンク５とが位置ずれしていても、バッテリ本体２とヒュージブルリンク５とを容易に接続することができる。また、バッテリ本体２がバッテリ固定部材７により位置決めされた後で各接続部を固定するため、位置ずれによる応力がかかるのを抑止することができる。
【００６３】
ヒュージブルリンク５が、ヒュージブルリンク５と電源用端子４とを仮係止する係止突起３４を備えている。このため、工具等を使ってナット２９を仮付けする必要がなくなり、ヒュージブルリンク５を電源用端子４に取り付ける作業でヒュージブルリンク５と電源用端子４とは仮係止される。したがって、仮付け作業をなくすことができる。またナット２９の有無によって組立工程でヒュージブルリンク５と電源用端子４との累着作業が完了したかどうかを目視で確認することができるので、ナット２９の仮付けを完着と誤認し、締め忘れることがない。
【００６４】
ヒュージブルリンク５の導体部３１を覆うケース３２が、変位する電源用端子４と接触しないように開口した第二の開口部４４を備えている。このため、電源用端子４が変位してもケース３２に接触することがない。したがって、電源用端子４の変位によってケース３２に応力がかかるのを抑止することができ、ケース３２の破損等を防止することができる。
【００６５】
次に、本発明の第二の実施形態にかかるヒュージブルリンクの取付構造１を、図７を参照して説明する。なお、前述した第一の実施形態と同一構成分には、同一符号を付して説明を省略する。
【００６６】
本実施形態における電源用端子４は、仮係止手段としての係止突起４８を備えている。係止突起４８は、平板部２６ａから突設されている。係止突起４８の先端には、スタッドボルト２５に近づく方向に突出した係止爪４８ａが設けられている。
【００６７】
前述した構成の係止突起４８は、電源用端子４のスタッドボルト２５がヒュージブルリンク５の接続孔３６に挿入されて、電源用端子４の平板部２６ａに電源端子板３５の下面３５ｂが重ねられると、弾性変形して、係止爪４８ａが電源端子板３５の上面３５ａと接触する。係止突起４８は、平板部２６ａとの間に電源端子板３５を位置付けて保持することによって、電源用端子４とヒュージブルリンク５とを回動可能に仮係止する。
【００６８】
本実施形態においては、電源用端子４が、ヒュージブルリンク５と電源用端子４とを仮係止する係止突起４８を備えている。このため、工具等を使ってナット２９を仮付けする必要がなくなり、ヒュージブルリンク５を電源用端子４に取り付ける作業でヒュージブルリンク５と電源用端子４とは仮係止される。したがって、仮付け作業をなくすことができる。またナット２９の有無によって組立工程でヒュージブルリンク５と電源用端子４との累着作業が完了したかどうかを目視で確認することができるので、ナット２９の仮付けを完着と誤認し、締め忘れることがない。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の第一の実施形態にかかるヒュージブルリンクの取付構造により取り付けられたヒュージブルリンクとバッテリ本体とを示す斜視図である。
【図２】図１に示されたヒュージブルリンクの取付構造を上面から見た構成図である。
【図３】図１に示されたヒュージブルリンクと電源用端子との接続部近傍を拡大して示す斜視図である。
【図４】図３中のＩＶ−ＩＶ線に沿う断面図である。
【図５】図３の下面図である。
【図６】図１に示されたヒュージブルリンクの斜視図である。
【図７】本発明の第二の実施形態にかかるヒュージブルリンクの取付構造の要部を示す断面図である。
【符号の説明】
【００７１】
１    ヒュージブルリンクの取付構造
２    バッテリ本体
３（３ａ）、３ｂ    バッテリポスト
４    電源用端子
５    ヒュージブルリンク
１３    支持片（第二の変位手段）
１４    第二の変位手段
１５    第一の変位手段
２５    スタッドボルト（第一の変位手段、接続部）
３１    導体部
３２    ケース
３３    取付部
３４    係止突起（仮係止手段）
３６    接続孔（第一の変位手段、接続部）
４４    第二の開口部（開口部）
４７    溝（第二の変位手段）
４８    係止突起（仮係止手段）
【図１】
2008171624.tif 000003
【図２】
2008171624.tif 000004
【図３】
2008171624.tif 000005
【図４】
2008171624.tif 000006
【図５】
2008171624.tif 000007
【図６】
2008171624.tif 000008
【図７】
2008171624.tif 000009